(57)【要約】  【課題】  長すぎる雄ネジを使用した場合でも、雄ネジが必要以上に筐体内に侵入するのを阻止して、短絡事故等の発生を未然に防止する。  【解決手段】  電子機器の筐体は、第１の板金１と第２の板金２を重ね合わせ、第１の板金１の外側から該第１の板金１に形成したネジ挿入孔４を介してネジ３を挿入して、該ネジ３の先端を、第２の板金２に形成した雌ネジ６に螺合して第１の板金１と第２の板金２を結合することにより構成されている。前記第２の板金２は、前記雌ネジ６に螺合したネジ３が長すぎた場合に該ネジ３の先端が当接して該ネジ３の更なる侵入を阻止するキャップ部７を備えている。  【選択図】  図２
2005236055.tif 000002
【特許請求の範囲】
【請求項１】
筐体を構成する第１の板材の内側に雌ネジを形成した第２の板材を重ね合わせて前記第１の板材の外面側から挿入した雄ネジを前記雌ネジに螺合して前記第１の板材と第２の板材を結合した電子機器において、
前記第２の板材は、前記雌ネジに螺合した雄ネジが長すぎた場合に該雄ネジの先端が当接して該雄ネジの更なる侵入を阻止するキャップ部を備えていることを特徴とする電子機器。
【請求項２】
前記キャップ部は、略円錐台形の椀状に形成されていて上端の平坦部が雄ネジの先端の当接面になっていることを特徴とする請求項１に記載の電子機器。
【請求項３】
前記キャップ部は、前記第２の板材の一部に絞り加工を施して椀状に形成したのちに前記雌ネジと前記キャップ部の間を略１８０°折り曲げて、前記キャップ部で前記雌ネジの周囲を覆うように前記第２の板材の内面上に重ね合せることにより形成されていることを特徴とする請求項１及び請求項２に記載の電子機器。
【発明の詳細な説明】
【技術分野】
【０００１】
本発明は電子機器、特に筐体を構成する第１の板材の内側に雌ネジを形成した第２の板材を重ね合わせて、前記筐体の外側から挿入した雄ネジを前記雌ネジに螺合して前記第１の板材と第２の板材を結合した電子機器に関し、特に、前記雌ネジを抜け出て筐体内に侵入した雌ネジの先端が筐体内に配置されている内部部品等に接触して短絡事故等を惹起するのを未然に防止することができるようにしたものである。
【背景技術】
【０００２】
図６に示すように、筐体を構成する第１の金属板１０１と第２の金属板１０２を重ね合わせ、第１の金属板１０１の外面１０１ａ側から該第１の金属板１０１に形成したネジ挿入孔１０３を介して雄ネジ１０４を挿入して、該雄ネジ１０４の先端を、前記第２の金属板１０２にバーリング加工により円筒状に形成したフランジ部１０５の内周にタッピング加工により形成した雌ネジ１０６に螺合して第１の金属板１０１と第２の金属板１０２を結合して筐体の外壁を構成し、或いは図７に示すように、前記雄ネジ１０４の先端を第２の金属板１０２にかしめ加工により形成したボス部１０７の内周にタッピング加工により形成した雌ネジ１０６に螺合して第１の金属板１０１と第２の金属板１０２を結合して筐体を構成したものが知られている。（例えば、特許文献１、特許文献２、特許文献３）
【特許文献１】特開平０８−２７４４８６号公報
【特許文献２】特開平０６−２３７０８６号公報
【特許文献３】特開平０５−０６３３７７号公報
【発明の開示】
【発明が解決しようとする課題】
【０００３】
ところで、前述のようにバーリング加工およびタッピング加工により形成した雌ネジ１０６に雄ネジ１０４を螺合して第１の金属板１０１と第２の金属板１０２を結合する場合や、或いはカシメ加工およびタッピング加工により形成した雌ネジ１０６に雄ネジ１０４を螺合して第１の金属板１０１と第２の金属板１０２を結合する場合に、雄ネジ１０４が長すぎると、図８に示すように、雄ネジ１０４の先端が筐体内に組付けられている実装部品１０８に接触して短絡事故等を惹起する虞がある。
【０００４】
メーカーが電子機器を組立てる際には、上述のような短絡事故等を惹起する虞はないが、ユーザーが電子機器を分解して修理した後に電子機器を再び組立てるような場合に、雄ネジ１０４が長すぎて先端が筐体内に組付けられている実装部品１０８に接触して短絡事故等を惹起する虞があった。電子機器には様々な長さの雄ネジ１０４が使用されているから分解後、再組立する場合にユーザーが雄ネジ１の選択を誤ることが多々あるからである。
【０００５】
本願発明の目的は、長すぎる雄ネジを使用した場合でも、雄ネジが必要以上に筐体内に侵入するのを阻止して、短絡事故等の発生を未然に防止することのできる電子機器を提供することにある。
【課題を解決するための手段】
【０００６】
請求項１の発明は、筐体を構成する第１の板材の内側に雌ネジを形成した第２の板材を重ね合わせて前記筐体の外側から挿入した雄ネジを前記雌ネジに螺合して前記第１の板材と第２の板材を結合した電子機器において、
前記第２の板材に、前記雌ネジに螺合した雄ネジが長すぎた場合に、該雄ネジの先端が当接して該雄ネジの更なる侵入を阻止するキャップ部を設けた。
【０００７】
請求項２の発明は、請求項１の電子機器において、
前記キャップ部を、略円錐台形状の椀状に形成し、上端の平坦部を雄ネジの先端の当接面にした。
【０００８】
請求項３の発明は、請求項１または請求項２の電子機器において、
前記キャップ部を、前記第２の板材の一部に絞り加工を施して椀状に形成したのちに前記雌ネジと前記キャップ部の間を略１８０°折り曲げて、前記雌ネジの周囲を覆うように前記第２の板材の内面上に重ね合せることにより形成した。
【発明の効果】
【０００９】
（１）請求項１の発明は、長すぎる雄ネジを使用した場合に、該雄ネジの先端がキャップ部に当接して、雄ネジがそれ以上、筐体内に侵入するのを阻止する。一方、雄ネジの頭部は、筐体の外側面から浮き上がった状態になるので、雄ネジが長すぎて不適当なものであることが識別可能になる。
（２）請求項２の発明は、キャップ部の上端の平坦部を可能な限り雄ネジの先端に近づけてキャップ部が高くなるのを防止して、キャップ部による筐体内の占有空間を少なくすることができる。。
（３）請求項３の発明は、キャップ部を、雌ネジを設けた第２の板材と一体に形成したのでキャップ部を別部材で構成する場合に比べて部品点数の削減を図ることができる。
【発明を実施するための最良の形態】
【００１０】
図１は本発明の電子機器の筐体を構成する第１の金属製の板材（以下、板金と称する）１と、第２の板金２を雄ネジ（以下、単にネジと称する）３で結合する前の状態の断面図、図２は第１の板金１と第２の板金２をネジ３で結合した後の状態の断面図である。
【００１１】
図１に示すように、第１の板金１は、ネジ挿入孔４を備えている。ネジ挿入孔４は、ネジ３の頭部３ａよりも小径で、且つネジ３の軸部３ｂよりも大徑に形成されている。
【００１２】
第２の板金２は、ネジ３の軸部３ｂを螺合する雌ネジ５を備えている。前記雌ネジ５は、バーリング加工により第２の板金２に形成した円筒状のフランジ部６の内周にタッピング加工を施すことにより形成されている。
【００１３】
そして、図２に示すように、前記ネジ挿入孔４と雌ネジ５の位置を合わせた状態で第１の板金１と第２の板金２を重ね合わせて、第１の板金１の外面１ａ側からネジ３の軸部３ｂをネジ挿入孔４に挿入すると共に、ネジ３の軸部３ｂを雌ネジ５に螺合することにより、第１の板金１と第２の板金２は、ネジ３で結合される。
【００１４】
第２の板金２は、内面（第１の板金１に重なりあっている面と反対側の面）２ａに、ネジ３の筐体内への侵入量を規定するキャップ部７を備えている。前記キャップ部７は、雌ネジ５に螺合したネジ３が長すぎる場合に、該ネジ３の軸部３ｂの先端が当接して該ネジ３の更なる侵入を阻止するようになっている。
【００１５】
前記キャップ部７は、略円錐台形の椀状に形成されていて上端の平坦部７ａがネジ３の軸部３ｂの先端の当接面になっている。前記キャップ部７は、第２の板金２にこれと一体に形成されている。
【００１６】
図３、図４は、前記キャップ部７の形成方法を示す。雌ネジ５を形成した第２の板金２の前記雌ネジ５の側方に金型を使用してキャップ部７を絞り加工で形成する。そして、前記キャップ部７を囲むように形成したコ字状の切欠部８を利用して、前記キャップ部７を略１８０°折り曲げて、前記キャップ部７で前記雌ネジ５の周囲を覆うように前記第２の板金２の内面２ａに重ね合せることにより形成されている。前記第２の板金２の内面２ａに重ね合わされたキャップ部７は、第２の板金２の内面２ａから浮き上がることのないように必要に応じて溶接等の方法で第２の板金２の内面２ａに接合されている。
【００１７】
次に、前記キャップ部７の作用について説明する。第１の板金１と第２の板金２を結合するのは、先に図２を参照して説明したように、前記ネジ挿入孔４と雌ネジ５の位置を合わせた状態で第１の板金１と第２の板金２を重ね合わせて、第１の板金１の外面１ａ側からネジ３の軸部３ｂをネジ挿入孔４に挿入すると共に、ネジ３の軸部３ｂを雌ネジ５に螺合することにより行なわれるのであるが、ネジ３が長すぎた場合には、図５に示すように、ネジ３の軸部３ｂの先端が前記キャップ部７に当接し、それ以上、筐体内に侵入するのを阻止して、ネジ３の軸部３ｂの先端が筐体内に組付けられている実装部品等に接触して短絡事故等を惹起するのを未然に防止する。一方、ネジ３の頭部３ａと第１の板金１の外面１ａとの間には隙間δが発生し、ネジ３の頭部３ａは、第１の板金１の外面１ａから浮き上がった状態になり、ネジ３が長すぎることが示唆されるので、短いネジ３を使用してネジ３の頭部３ａを第１の板金１の外側面に密着させて完全なネジ結合を行なうことができる。
【図面の簡単な説明】
【００１８】
【図１】第１の板金と第２の板金をネジで結合する前の状態の断面図。
【図２】第１の板金と第２の板金をネジで結合した後の状態の断面図。
【図３】キャップ部の形成方法を示す平面図。
【図４】図３のＡ−Ａ断面図。
【図５】本発明の効果を示す断面図。
【図６】従来例の断面図。
【図７】他の従来例の断面図。
【図８】従来例の問題点を示す断面図。
【符号の説明】
【００１９】
１…第１の板金。
【００２０】
２…第２の板金。
【００２１】
３…ネジ（雄ネジ）。
【００２２】
３ａ…ネジの頭部。
【００２３】
３ｂ…ネジの軸部。
【００２４】
４…ネジ挿入孔。
【００２５】
５…雌ネジ。
【００２６】
７…キャップ部
【図１】
2005236055.tif 000003
【図２】
2005236055.tif 000004
【図３】
2005236055.tif 000005
【図４】
2005236055.tif 000006
【図５】
2005236055.tif 000007
【図６】
2005236055.tif 000008
【図７】
2005236055.tif 000009
【図８】
2005236055.tif 000010